(57)【要約】      （修正有）【課題】ラックの頂面に簡単に取り付けられてラックの物置スペースを拡張することができ、更にスライドバーを旋回させることにより、増設ラックの位置を下げて収納物を取り出しやすくすることができる増設ラックの構造を提供する。【解決手段】増設ラックは、一層又は複数層の棚板１０、二本の支持部材２０、及び複数の固定台座３０から構成する。前記一層又は複数層の棚板は、その各四隅を固定バー１３で相互に連結して複数層の棚板構造を構成することができ、最上層の棚板両側の中間と内側端は平行に設置された二本の支持部材２０と軸着され、各支持部材は二本のスライドバー２１を含み、その上の連結軸部は最上層の棚板底部の二つの連結軸部材１１に軸着され、下の連結軸部は固定台座と軸着されスライドバーが旋回するときの支点となり、前記複数の固定台座は、その内側が傾斜面をもつ係止部を形成し、スライドバーがその係止部に当接することで棚板は元の位置に戻り、複数の固定台座はラック頂部に連結される。【選択図】図１
0003158816.tif 000002
【実用新案登録請求の範囲】
【請求項１】
既存のラックの頂部に取り付けられ、既存のラック頂部上方の物置スペースを拡張することができる、増設ラックの構造であって、
一層又は複数層の棚板、二本の支持部材、及び複数の固定台座から構成され、
前記一層又は複数層の棚板は、その各四隅を固定バーで相互に連結して複数層の棚板構造を構成することができ、最上層の棚板両側の中間と内側端は平行に設置された二本の支持部材と軸着され、
各支持部材は二本のスライドバーを含み、その上の連結軸部は最上層の棚板底部の二つの連結軸部材に軸着され、下の連結軸部は固定台座と軸着されスライドバーが旋回するときの支点となり、
前記複数の固定台座は、その内側が傾斜面をもつ係止部を形成し、スライドバーがその係止部に当接することで棚板は元の位置に戻り、複数の固定台座は既存のラック頂部に連結される。
【請求項２】
前記複数の固定台座は二本の横向き支持バーと連結され、各横向き支持バーは既存のラック、例えば洋服ラックの各支柱バーの頂部と結合されることを特徴とする、請求項１に記載の増設ラックの構造。
【請求項３】
両側に設置された前記固定台座は、円錐形の孔をもつ固定リングを両端に有する横向き支持バーとそれぞれ連結され、相互に咬止することができる一対のスリーブは、その内側の凸リング構造により、前記既存のラックの各支柱バー上に等間隔に配列された複数のリング溝に外嵌させることができ、前記スリーブは、その外壁が円錐形状を呈しているため横向き支持バーの両端の固定リングの円錐形の孔に嵌通させることができ、それにより増設ラックは安定して固定され、以上の構造により、使用者は自分で簡単に取り付けることができることを特徴とする、請求項１に記載の増設ラックの構造。
【請求項４】
前記固定台座は、既存のラック上の横向きバーに外嵌することができるＣ型嵌合台座にすることができ、前記Ｃ型嵌合台座の開口部は上に向かって延出して二枚の挟着部材を形成し、前記挟着部材はそれぞれ間隔を空けて穿設された二つの連結孔を有し、二枚の内一枚の前記挟着部材の上段の連結孔の近くには位置決め孔が設置され、ラック上の横向きバーは前記Ｃ型嵌合台座に嵌合され、その後二枚の挟着部材下段の連結孔を相互に螺合することにより横向きバーの位置が固定され、二枚の挟着部材上段の内側には係止部材が設置され、前記係止部材には、挟着部材上の連結孔と位置決め孔に対応する連結孔と位置決め凸柱が設置され、スライドバーの下の連結軸部は係止部材及び挟着部材と軸着され、係止部材には傾斜面をもつ係止部が設置され、スライドバーが係止部材の係止部に当接することで、棚板を元の位置に戻すことができ、以上の構造により、使用者は自分で簡単に本考案を取り付けることができることを特徴とする、請求項１に記載の増設ラックの構造。
【考案の詳細な説明】
【技術分野】
【０００１】
本考案は、既存のラックの頂部に取り付けられ、既存のラックの頂部の物置スペースを拡張することができる、増設ラックの構造に関する。
【背景技術】
【０００２】
現在市場でよく見られる家庭用のラック、例えば浴室のラック、洋服ラック、収納棚等は、一般的にその高さの上限がおよそ一般人の平均身長程度であり、一般的な身長の人が物の出し入れができるくらいの高さである。しかしながら生活が多元化するにつれ、家の物はどんどん多くなってきており、既存の高さのラックでは置物スペースが足りなくなっている。
【０００３】
特開２００１−２４５７３５号公報では、ラック１が冷蔵庫（又はラック、収納棚等）上に取り付けられ、冷藏庫頂部の物置スペースを拡張している。前記ラックは枠体、棚板、嵌着部材、滑り防止部材、抜け止め部材によって構成されている。前記枠体は、左枠並びに右枠と、この例では左枠並びに右枠の各中間部の両端の対時する内面側に設ける複数の連結パイプと、各連結パイプを左枠および右枠に係止するための各係止部材とによって構成されている。また、上記枠体の四隅の底面部である左枠並びに右枠の各側枠部の下端に形成した水平板部には、吸盤を設けた嵌着部材が着脱可能に設けられるようにしてある。前記吸盤によってラックは冷蔵庫の上面に固定される。
【先行技術文献】
【特許文献】
【０００４】
【特許文献１】特開２００１−２４５７３５号公報
【考案の概要】
【考案が解決しようとする課題】
【０００５】
特開２００１−２４５７３５号公報に開示されている方法は、高さが固定されている冷蔵庫等の頂部の物置スペースを拡張することができるものの、増設されるラックの高さが高すぎるため、物の出し入れが不便になることが最大の欠点である。
【０００６】
また、前記の増設ラックの構造は複雑すぎるため製造や増設にかかるコストがかさみやすくなる点や、ラック底部の四隅に設置された吸盤を冷蔵庫の頂部に貼り付けて位置を固定する構造であるため固定の強度が弱くなるという点も、欠点の一つである。
【０００７】
従って、従来の増設ラックの構造が複雑で物の出し入れがしにくいという欠点を如何に改良するかが、本考案が解決すべき課題である。
【０００８】
本考案は、既存のラックの頂面に簡単に取り付けられて既存のラックの物置スペースを拡張することができ、更にスライドバーを旋回させることにより、増設ラックの位置を下げて収納物を取り出しやすくすることができる増設ラックの構造を提供することを目的とする。
【０００９】
また、本考案は、使用者が自分で簡単に増設することができる増設ラックの構造を提供することを目的とする。
【００１０】
また、本考案は、簡素化された構造により製造及び増設コストを減らすことができる増設ラックの構造を提供することを目的とする。
【課題を解決するための手段】
【００１１】
本考案に係る増設ラックの構造は、一層又は複数層の棚板、二本の支持部材、及び複数の固定台座から構成され、前記一層又は複数層の棚板は、その各四隅を固定バーで相互に連結して複数層の棚板構造を構成することができ、最上層の棚板両側の中間と内側端は平行に設置された二本の支持部材と軸着され、各支持部材は二本のスライドバーを含み、その上の連結軸部は最上層の棚板底部の二つの連結軸部材に軸着され、下の連結軸部は固定台座と軸着されスライドバーが旋回するときの支点となり、
前記複数の固定台座は、その内側が傾斜面をもつ係止部を形成し、スライドバーがその係止部に当接することで棚板は元の位置に戻り、複数の固定台座はラック頂部に連結される。
【考案の効果】
【００１２】
本考案の増設ラックの構造は、既存のラックの頂部に取り付けられ既存のラックの頂部の物置スペースを拡張することができるだけでなく、スライドバーを旋回させることにより増設ラックの位置を下げて収納物を取り出しやすくすることができ、更には、簡素化されたその構造により製造及び増設コストを減らす効果が得られる。
【図面の簡単な説明】
【００１３】
【図１】本考案の増設ラックの構造の分解図である。
【図２】本考案の旋回する部分の構造を示した説明図である。
【図３】洗面所の収納ラックに取り付けられた本考案の増設ラックを操作する前と後の状態を示した説明図ある。
【図４】浴室のラックに取り付けられた本考案の増設ラックの状態を示した説明図である。
【図５】本考案の実施例２の旋回する部分の構造を示した斜視図である。
【図６】本考案の実施例２の増設ラックを操作する前と後のスライドバーの状態を示した説明図である。
【図７】本考案の実施例３の部分的な構造を示した斜視図である。
【図８】スチールラックに取り付けられた図７に開示する増設ラックの一部分の構造を示した説明図である。
【図９】スチールラックに取り付けられた図７に開示する増設ラックの状態を示した説明図である。
【図１０】一本のバーの洋服ラックに取り付けられた本考案の実施例４の増設ラックの状態を示した説明図である。
【図１１】二本のバーの洋服ラックに取り付けられた本考案の実施例４の増設ラックの状態を示した説明図である。
【実施例１】
【００１４】
図１及び図２に示すように、本考案は、一層又は複数層の棚板１０、二本の支持部材２０、及び複数の固定台座３０等から構成される。
【００１５】
前記一層又は複数層の棚板１０は、その最上層の両側の中央と内側端にそれぞれ連結軸部材１１が設置される。また、二層以上の各棚板の四隅には連結孔１２が設置され、四本の固定バー１３を、対向する上、下層の四隅の連結孔１２の間にそれぞれ穿設してナット１４で螺合する。
【００１６】
前記二本の支持部材２０は二本のスライドバー２１を含み、上の連結軸部２１１はそれぞれ横向きバー２２の両端の孔２２１に軸着され、また下の連結軸部２１１は複数の固定台座３０に軸着される。
【００１７】
複数の固定台座３０は開口部が前に向いたコの字状の溝をもつ台座にすることができ、その内側は傾斜面をもつ係止部３１を形成し、前記固定台座３０は支持部材２０の二本のスライドバー２１の下連結軸部２１１と軸着され、前記スライドバー２１は棚板１０を元の位置に戻したときに所定の位置で係止される。
【００１８】
図３に示すように、本考案において、棚板１０の両側を支えるスライドバー２１と結合されたコの字状の固定台座３０は、ラック５０の頂部、例えば洗面所のラックの最上部の二本の横向きバー５１上に直接に連結させることができ、ラック５０の頂部の物置スペースを拡張することができる。又、図４に示すように、前記コの字状の固定台座３０は、浴室のラック５０Ａの頂部の最上部の二本の横向きバー５１Ａ上にも取り付けることができるし、その他の収納棚の頂部にも取り付けることができる。
【００１９】
図３に示すように、本考案を操作する際、使用者が棚板１０の最下層を前下方に引っぱると棚板１０を支える両側のスライドバー２１が前方へ旋回し、破線で示すように、本考案の増設ラックは降下して既存のラック５０の前方へと移動し、収納された物の出し入れがしやすくなる。反対に、棚板１０を上後方に押すと、棚板１０を支える両側のスライドバー２１が後方へ旋回し、本考案の増設ラックは上昇してラック５０の上方の元の位置に戻る。このように、既存のラックの物置スペースを拡張することができ、しかも、スライドバーを旋回させることにより、増設ラックの位置を下げて収納物を取り出しやすくすることができるため、本考案は進歩性を具えている。
【実施例２】
【００２０】
図５、６に示すように、本考案の固定台座は、ラック５０上の横向きバー５１に外嵌することができるＣ型嵌合台座３０’にすることができる。前記Ｃ型嵌合台座３０’の開口部は上に向かって延出して二枚の挟着部材３２を形成する。前記挟着部材３２はそれぞれ、間隔を空けて穿設された二つの連結孔３２１を有する。二枚の内一枚の前記挟着部材３２の上段の連結孔３２１の近くには位置決め孔３２２が設置される。ラック５０上の横向きバー５１は前記Ｃ型嵌合台座３０’に嵌合され、その後二枚の挟着部材３２下段の連結孔３２１を相互に螺合することにより横向きバー５１の位置が固定される。また、二枚の挟着部材３２上段の内側には係止部材３３が設置され、前記係止部材３３には、挟着部材３２上の連結孔３２１と位置決め孔３２２に対応する連結孔３３１と位置決め凸柱３３２が設置される。スライドバー２１の下の連結軸部２１１は、係止部材３３及び挟着部材３２と軸着される。係止部材３３には傾斜面をもつ係止部３３３が設置され、スライドバー２１が係止部材３３の係止部３３３に当接することで、棚板１０を元の位置に戻すことができる。以上の構造により、使用者は自分で簡単に本考案を取り付けることができる。
【実施例３】
【００２１】
図７、８、９に示すように、本考案をスチールラック６０に取り付けるとき、両側のスライドバー２１を軸着した固定台座３０は、横向き支持バー４０にそれぞれ連結する。前記二本の横向き支持バー４０の両端は円錐形の孔を有する固定リング４１を形成する。相互に咬止することができる一対のスリーブ４２は、その内側の凸リング４２１構造により、前記ラック６０の各支柱バー６１上に等間隔に配列された複数のリング溝６２に外嵌させることができ、前記スリーブ４２は、その外壁が円錐形状を呈しているため横向き支持バー４０の両端の固定リング４１の円錐形の孔に嵌通させることができ、それにより増設ラックは安定して固定される。以上の構造により、使用者は自分で簡単に本考案を取り付けることができる。
【実施例４】
【００２２】
図１０及び図１１に示すように、本考案の両側の固定台座３０をそれぞれ二本の横向き支持バー４０Ａ、４０Ｂに連結し、各横向き支持バー４０Ａ、４０Ｂを、一本のバー又は二本のバーの洋服ラック７０、８０の両側の伸縮バー７１、８１の頂部に直接連結することで、増設ラックを取り付けることができ、物置スペースを上方に拡張することができる。
【符号の説明】
【００２３】
１０    棚板      
１１    連結軸部材      
１２    連結孔      
１３    固定バー      
１４    ナット
２０    支持部材      
２１    スライドバー      
２１１  連結軸部      
２２    横向きバー
２２１  孔    
３０    固定台座        
３０’  Ｃ型嵌合台座      
３１    係止部
３２    挟着部材      
３２１、３３１連結孔
３２２  位置決め孔        
３３    係止部材
３３２  位置決め凸柱      
３３３  係止部
４０、４０Ａ、４０Ｂ    横向き支持バー      
４１    固定リング      
４２    スリーブ      
４２１  凸リング
５０、６０  ラック      
５０Ａ  浴室ラック      
５１、５１Ａ    上横向きバー
６１    支柱バー      
６２    リング溝
７０    一本のバーの洋服ラック    
７１、８１  伸縮バー    
８０    二本のバーの洋服ラック
【図１】
0003158816.tif 000003
【図２】
0003158816.tif 000004
【図３】
0003158816.tif 000005
【図４】
0003158816.tif 000006
【図５】
0003158816.tif 000007
【図６】
0003158816.tif 000008
【図７】
0003158816.tif 000009
【図８】
0003158816.tif 000010
【図９】
0003158816.tif 000011
【図１０】
0003158816.tif 000012
【図１１】
0003158816.tif 000013
【手続補正書】
【提出日】平成22年2月16日(2010.2.16)
【手続補正１】
【補正対象書類名】実用新案登録請求の範囲
【補正対象項目名】全文
【補正方法】変更
【補正の内容】
【実用新案登録請求の範囲】
【請求項１】
一層又は複数層の棚板、二本の支持部材、及び複数の固定台座から構成され、
前記一層又は複数層の棚板は、その各四隅を固定バーで相互に連結して複数層の棚板構造を構成することができ、最上層の棚板両側の中間と内側端は平行に設置された二本の支持部材と軸着され、
各支持部材は二本のスライドバーを含み、その上の連結軸部は最上層の棚板底部の二つの連結軸部材に軸着され、下の連結軸部は固定台座と軸着されスライドバーが旋回するときの支点となり、
前記複数の固定台座は、その内側が傾斜面をもつ係止部を形成し、スライドバーがその係止部に当接することで棚板は元の位置に戻り、複数の固定台座はラック頂部に連結される、
という構造をもつとともに、ラックの頂部に取り付けられてラック頂部上方の物置スペースを拡張できることを特徴とする、増設ラック。
【請求項２】
前記複数の固定台座は二本の横向き支持バーと連結され、各横向き支持バーはラックの各支柱バーの頂部と結合されることを特徴とする、請求項１に記載の増設ラック。
【請求項３】
両側に設置された前記固定台座は、円錐形の孔をもつ固定リングを両端に有する横向き支持バーとそれぞれ連結され、相互に咬止することができる一対のスリーブは、その内側の凸リング構造により、ラックの各支柱バー上に等間隔に配列された複数のリング溝に外嵌させることができ、前記スリーブは、その外壁が円錐形状を呈しているため横向き支持バーの両端の固定リングの円錐形の孔に嵌通させることができ、それにより増設ラックは安定して固定され、以上の構造により、使用者は自分で簡単に取り付けることができることを特徴とする、請求項１に記載の増設ラック。
【請求項４】
前記固定台座は、ラック上の横向きバーに外嵌することができるＣ型嵌合台座にすることができ、前記Ｃ型嵌合台座の開口部は上に向かって延出して二枚の挟着部材を形成し、前記挟着部材はそれぞれ間隔を空けて穿設された二つの連結孔を有し、二枚の内一枚の前記挟着部材の上段の連結孔の近くには位置決め孔が設置され、ラック上の横向きバーは前記Ｃ型嵌合台座に嵌合され、その後二枚の挟着部材下段の連結孔を相互に螺合することにより横向きバーの位置が固定され、二枚の挟着部材上段の内側には係止部材が設置され、前記係止部材には、挟着部材上の連結孔と位置決め孔に対応する連結孔と位置決め凸柱が設置され、スライドバーの下の連結軸部は係止部材及び挟着部材と軸着され、係止部材には傾斜面をもつ係止部が設置され、スライドバーが係止部材の係止部に当接することで、棚板を元の位置に戻すことができ、以上の構造により、使用者は自分で簡単に取り付けることができることを特徴とする、請求項１に記載の増設ラック。
【手続補正３】
【補正対象書類名】明細書
【補正対象項目名】０００１
【補正方法】変更
【補正の内容】
【０００１】
本考案は、ラックの頂部に取り付けられ、ラックの頂部の物置スペースを拡張することができる、増設ラックに関する。
【手続補正４】
【補正対象書類名】明細書
【補正対象項目名】０００６
【補正方法】変更
【補正の内容】
【０００６】
また、前記の増設ラックは複雑すぎるため製造や増設にかかるコストがかさみやすくなる点や、ラック底部の四隅に設置された吸盤を冷蔵庫の頂部に貼り付けて位置を固定する構造であるため固定の強度が弱くなるという点も、欠点の一つである。
【手続補正５】
【補正対象書類名】明細書
【補正対象項目名】０００７
【補正方法】変更
【補正の内容】
【０００７】
従って、従来の増設ラックが複雑で物の出し入れがしにくいという欠点を如何に改良するかが、本考案が解決すべき課題である。
【手続補正６】
【補正対象書類名】明細書
【補正対象項目名】０００８
【補正方法】変更
【補正の内容】
【０００８】
本考案は、ラックの頂面に簡単に取り付けられてラックの物置スペースを拡張することができ、更にスライドバーを旋回させることにより、増設ラックの位置を下げて収納物を取り出しやすくすることができる増設ラックを提供することを目的とする。
【手続補正７】
【補正対象書類名】明細書
【補正対象項目名】０００９
【補正方法】変更
【補正の内容】
【０００９】
また、本考案は、使用者が自分で簡単に増設することができる増設ラックを提供することを目的とする。
【手続補正８】
【補正対象書類名】明細書
【補正対象項目名】００１０
【補正方法】変更
【補正の内容】
【００１０】
また、本考案は、簡素化された構造により製造及び増設コストを減らすことができる増設ラックを提供することを目的とする。
【手続補正９】
【補正対象書類名】明細書
【補正対象項目名】００１１
【補正方法】変更
【補正の内容】
【００１１】
本考案に係る増設ラックは、一層又は複数層の棚板、二本の支持部材、及び複数の固定台座から構成され、前記一層又は複数層の棚板は、その各四隅を固定バーで相互に連結して複数層の棚板構造を構成することができ、最上層の棚板両側の中間と内側端は平行に設置された二本の支持部材と軸着され、各支持部材は二本のスライドバーを含み、その上の連結軸部は最上層の棚板底部の二つの連結軸部材に軸着され、下の連結軸部は固定台座と軸着されスライドバーが旋回するときの支点となり、
前記複数の固定台座は、その内側が傾斜面をもつ係止部を形成し、スライドバーがその係止部に当接することで棚板は元の位置に戻り、複数の固定台座はラック頂部に連結される。
【手続補正１０】
【補正対象書類名】明細書
【補正対象項目名】００１２
【補正方法】変更
【補正の内容】
【００１２】
本考案の増設ラックは、ラックの頂部に取り付けられラックの頂部の物置スペースを拡張することができるだけでなく、スライドバーを旋回させることにより増設ラックの位置を下げて収納物を取り出しやすくすることができ、更には、簡素化されたその構造により製造及び増設コストを減らす効果が得られる。
【手続補正１１】
【補正対象書類名】明細書
【補正対象項目名】００１３
【補正方法】変更
【補正の内容】
【００１３】
【図１】本考案の増設ラックの分解図である。
【図２】本考案の旋回する部分の構造を示した説明図である。
【図３】洗面所の収納ラックに取り付けられた本考案の増設ラックを操作する前と後の状態を示した説明図ある。
【図４】浴室のラックに取り付けられた本考案の増設ラックの状態を示した説明図である。
【図５】本考案の実施例２の旋回する部分の構造を示した斜視図である。
【図６】本考案の実施例２の増設ラックを操作する前と後のスライドバーの状態を示した説明図である。
【図７】本考案の実施例３の部分的な構造を示した斜視図である。
【図８】スチールラックに取り付けられた図７に開示する増設ラックの一部分の構造を示した説明図である。
【図９】スチールラックに取り付けられた図７に開示する増設ラックの状態を示した説明図である。
【図１０】一本のバーの洋服ラックに取り付けられた本考案の実施例４の増設ラックの状態を示した説明図である。
【図１１】二本のバーの洋服ラックに取り付けられた本考案の実施例４の増設ラックの状態を示した説明図である。
【手続補正１２】
【補正対象書類名】明細書
【補正対象項目名】００１９
【補正方法】変更
【補正の内容】
【００１９】
図３に示すように、本考案を操作する際、使用者が棚板１０の最下層を前下方に引っぱると棚板１０を支える両側のスライドバー２１が前方へ旋回し、破線で示すように、本考案の増設ラックは降下してラック５０の前方へと移動し、収納された物の出し入れがしやすくなる。反対に、棚板１０を上後方に押すと、棚板１０を支える両側のスライドバー２１が後方へ旋回し、本考案の増設ラックは上昇してラック５０の上方の元の位置に戻る。このように、ラックの物置スペースを拡張することができ、しかも、スライドバーを旋回させることにより、増設ラックの位置を下げて収納物を取り出しやすくすることができるため、本考案は進歩性を具えている。